(57)【要約】【課題】大容量の情報が貯蔵できる２次元バーコードと暗号化アルゴリズムを利用してデーターのセキュリティーを強化し、同期化方式を利用して認証されたモバイルだけにより決済可能にしてバーコード盗用等の被害を防ぐようにする。【解決手段】２次元バーコードを生成し貯蔵し暗号化した後個人端末機に転送する段階と、個人端末機に２次元バーコードをディスプレイする段階と、前記個人端末機とメインサーバーとが同期化を形成する段階と、前記ディスプレイされた２次元バーコードを２次元スキャナーでスキャンする段階と、前記スキャンした２次元バーコードを解読する段階と、前記解読した２次元バーコードの情報を確認する段階と、前記情報の確認と合わせて同期可否を確認して認証する段階と、前記認証結果を個人端末機及び売り場端末機で転送する段階と、前記売り場端末機で決済金額を決済する段階とを備えている。【選択図】図１
2004280775.tif 000002
【特許請求の範囲】
【請求項１】
２次元バーコードを生成し貯蔵し暗号化した後個人端末機（２）に転送する段階（Ｓ１０１）と、個人端末機（２）に２次元バーコードをディスプレイする段階（Ｓ１０２）と、前記個人端末機（２）とメインサーバー（１）とが同期化を形成する段階（Ｓ１０３）と、前記ディスプレイされた２次元バーコードを２次元スキャナー（３）でスキャンする段階（Ｓ１０４）と、前記スキャンした２次元バーコードを解読する段階（Ｓ１０５）と、前記解読した２次元バーコードの情報を確認する段階（Ｓ１０６）と、前記情報の確認と合わせて同期可否を確認して認証する段階（Ｓ１０７）と、前記認証結果を個人端末機（２）及び売り場端末機（４）で転送する段階（Ｓ１０８）と、前記売り場端末機（４）で決済金額を決済する段階（Ｓ１０９）とを備えていることを特徴とする２次元バーコード及びモバイル同期化を利用した決済方法。
【請求項２】
２次元バーコードを受信して貯蔵しディスプレイする個人端末機（２）と、前記個人端末機（２）にディスプレイした２次元バーコードをスキャナする２次元スキャナー（３）と、前記２次元スキャナー（３）がスキャナした２次元バーコード情報を受信して転送する売り場端末機（４）とを備え、
前記個人端末機（２）に転送する２次元バーコードを生成して貯蔵して暗号化して、前記売り場端末機（４）が転送する２次元バーコード情報を受信して解読すると同時に、前記個人端末機（２）との同期可否を確認して認証可否を決定して、その結果を前記個人端末機（２）および売り場端末機（４）に転送するメインサーバー（１）を備えていることを特徴とする２次元バーコードおよびモバイル同期化を利用した決済システム。
【請求項３】
前記メインサーバー（１）は、２次元バーコードを生成して暗号化するバーコード生成部（１６）と、該バーコード生成部（１６）で生成した２次元バーコードを貯蔵するバーコードデータベース（１７）と、前記売り場端末機（４）からスキャナーした２次元バーコードを受信して認証結果を送信する送受信部（１３）と、前記受信した２次元バーコードを解読する復号部（１４）と、前記個人端末機（２）と同期する同期部（１５）と、前記復号部（１４）で解読された２次元バーコード情報及び前記同期部（１５）の同期可否を確認して認証可否を決定する認証部（１２）と、前記認証部（１２）、送受信部（１３）、復号部（１４）及びバーコードデータベース（１７）の要素に従い相互間のデーター転送を制御する制御部（１１）とを備えていることを特徴とする請求項２に記載の２次元バーコードおよびモバイル同期化を利用した決済システム。
【発明の詳細な説明】
【技術分野】
【０００１】
本発明は、２次元バーコード及びモバイル同期化を利用した決済方法及びシステムに関するものであり、より詳しくは、２次元バーコードがディスプレイされた個人端末機とメインサーバーを同期化して前記２次元バーコードの情報により決済されるものとして、２次元バーコード利用の単純な商品コードではない会員情報・決済情報・クーポン情報・ポイント積み立て等の大容量の情報が貯蔵できる２次元バーコードと暗号化アルゴリズムを利用してデーターの保安性を強化し、同期化方式を利用して認証されたモバイルに限って決済可能にし、バーコード盗用等の被害を防止できるようにしたものである。
【背景技術】
【０００２】
一般的にバーコード（Ｂａｒｃｏｄｅ）は、文字及び数字でできた情報をコンピューターが判読しやすいように符号化されたラベルで、世界商品コード（ＵＳＰ：Ｕｎｉｖｅｒｓｅ  Ｐｒｏｄｕｃｔ  Ｃｏｄｅ）に準ずる商品の種類を表示したり、商品売場等で売上情報の管理（ＰＯＳ：Ｐｏｉｎｔ  ｏｆ  ｓａｌｅｓ  Ｓｙｓｔｅｍ）等で利用され、図書分類及び身分証明書等にも利用されている（例えば特許文献１、特許文献２）。
前記の様なバーコードを、一般的に１次元バーコード（Ｏｎｅ  ｄｉｍｅｎｓｉｏｎ  ｂａｒｃｏｄｅ）と言い使用が簡単であり、既存のバーコードシステムと互換性が良いが、貯蔵可能な情報量が少なく暗号化部分が貧弱であり、クーポンとか簡単な会員管理など保安部分が要求されない分野に限り適用可能である為、モバイルを利用した決済方法に於いて、モバイルにディスプレイされた１次元バーコードをスキャニングして複製する等のバーコードデーターが簡単に流出し、前記のように流出された１次元バーコードを利用して他人が商品を購買したら１次元バーコードの情報分析だけで認証が許可され決済が行われる為、モバイルの盗難紛失等にその他異変に対して特別な対応方法がなくなる等の問題点があった。
【特許文献１】特開２００２−１５２１１号公報
【特許文献２】特開２００２−２４５１４１号公報
【発明の開示】
【発明が解決しようとする課題】
【０００３】
本発明は上記問題点に鑑み、大容量の情報を貯蔵することができる２次元バーコードと暗号化アルゴリズムを利用して保安性を強化すると同時に、認証されたモバイルに対してだけ決済できるようにした２次元バーコードおよびモバイルの同期化を利用した決済方法及びシステムを提供することにある。
【課題を解決するための手段】
【０００４】
この技術的課題を解決するための本発明の技術的手段は、２次元バーコード及びモバイル同期化を利用した決済方法として、２次元バーコードを生成し貯蔵し暗号化した後個人端末機２に転送する段階（Ｓ１０１）と、個人端末機２に２次元バーコードをディスプレイする段階（Ｓ１０２）と、前記個人端末機２とメインサーバー１とが同期化を形成する段階（Ｓ１０３）と、前記ディスプレイされた２次元バーコードを２次元スキャナー３でスキャンする段階（Ｓ１０４）と、前記スキャンした２次元バーコードを解読する段階（Ｓ１０５）と、前記解読した２次元バーコードの情報を確認する段階（Ｓ１０６）と、前記情報の確認と合わせて同期可否を確認して認証する段階（Ｓ１０７）と、前記認証結果を個人端末機２及び売り場端末機４で転送する段階（Ｓ１０８）と、前記売り場端末機４で決済金額を決済する段階（Ｓ１０９）とを備えている点にある。
【０００５】
また、本発明の他の技術的手段は、２次元バーコード及びモバイル同期化を利用した決済システムとして、２次元バーコードを受信して貯蔵しディスプレイする個人端末機２と、前記個人端末機２にディスプレイした２次元バーコードをスキャナする２次元スキャナー３と、前記２次元スキャナー３がスキャナした２次元バーコード情報を受信して転送する売り場端末機４とを備え、
前記個人端末機２に転送する２次元バーコードを生成して貯蔵して暗号化して、前記売り場端末機４が転送する２次元バーコード情報を受信して解読すると同時に、前記個人端末機２との同期可否を確認して認証可否を決定して、その結果を前記個人端末機２および売り場端末機４に転送するメインサーバー１を備えている点にある。
【０００６】
また、本発明の他の技術的手段は、２次元バーコード及びモバイル同期化を利用した決済システムとして、前記メインサーバー１は、２次元バーコードを生成して暗号化するバーコード生成部１６と、該バーコード生成部１６で生成した２次元バーコードを貯蔵するバーコードデータベース１７と、前記売り場端末機４からスキャナーした２次元バーコードを受信して認証結果を送信する送受信部１３と、前記受信した２次元バーコードを解読する復号部１４と、前記個人端末機２と同期する同期部１５と、前記復号部１４で解読された２次元バーコード情報及び前記同期部１５の同期可否を確認して認証可否を決定する認証部１２と、前記認証部１２、送受信部１３、復号部１４及びバーコードデータベース１７の要素に従い相互間のデーター転送を制御する制御部１１とを備えている点にある。
【発明の効果】
【０００７】
本発明によれば、２次元バーコードを利用して単純な商品コードではない会員情報・決済情報・クーポン情報・ポイント積み立て等の各種の情報を含むことができ、ＲＳＡ／ＡＥＳ等の暗号化アルゴリズムを利用してデーターの保安性を強化して、同期化方式を利用してバーコード盗用等の被害をくいとめる効果がある。
【発明を実施するための最良の形態】
【０００８】
以下、本発明の実施の形態を図面を参考にして詳細に説明する。
図１は、２次元バーコード及びモバイル同期化を利用した決済方法の流れを示している。図１において、メインサーバーから個人キー（Ｐｒｉｖａｔｅ−Ｋｅｙ）及び公開キー（Ｐｕｂｌｉｃ−Ｋｅｙ）を生成して貯蔵して、バーコードデーターを、ＲＳＡ（Ｒｉｖｅｓｔ−Ｓｈａｍｉｒ−Ａｄｌｅｍａｎ）／ＡＥＳ（Ａｄｖａｎｃｅｄ  ｅｎｃｒｙｐｔｉｏｎ  ｓｔａｎｄａｒｄ）を利用してインコードした後、２次元バーコードを生成して貯蔵して個人端末機に転送する（Ｓ１０１）。
【０００９】
ここで、上記２次元バーコードは、大容量のデーターを貯蔵することができ、多様な暗号化アルゴリズムを利用してバーコード自体の保安性を向上することができ、向上した保安で決済市湯・信用カード・ハーンディングマシン等のデーターの保護を必要とする多様な範囲で適用が可能である。
また、上記ＲＳＡは暗号化アルゴリズムで、主にインターネット暗号化及び認証システムに使用され、公開キーと個人キーの獲得に使用される。アルゴリズムの詳細な数学的説明をＲＳＡのＷｅｂサイトで探し見ることができる。
【００１０】
簡単に言うと、このアルゴリズムは、２つの大きな素数をかけ合わせたものと、追加演算を通じてひとつの公開キーを構成し、もうひとつは、かけ合わせる前の素数を使って、個人キーを構成するのに使用する。これら２つの数体系を誘導する作業が随伴して、一度その大きさを作れば、元来の素数はこれ以上重要ではなく放棄することができ、公開キー及び個人キーの２つ全ては暗号化／復号化に必要であるが、ただひとつ個人キーの所有者だけがそれを知る必要があって、ＲＳＡシステムを使用して個人キーは絶対にインターネットを通じ送れない。
【００１１】
そして、ＡＥＳは長さが１２８ビット暗号キーを使用する暗号方式で、米国標準暗号方式でＤＥＳ（Ｄａｔａ  Ｅｎｃｒｙｐｔｉｏｎ  Ｓｔａｎｄａｒｄ）は暗号化するデーターを、６４ビットのブロックで分割して、ブロック単位で５６ビットのキーデーターを使用して暗号化するものと、上記ＤＥＳの安全性が十分に確保できず開発したもので、ＡＥＳの要求規格は、データーブロックの長さが１２８ビットで、キーの長さは１２８ビット、１９２ビット、２５６ビットの３種類がある。
上記２次元バーコードを受信した個人端末機の利用客は望む商品を購買して、その商品を決済する為に、個人端末機に２次元バーコードをディスプレイして（Ｓ１０２）、上記個人端末機とメインサーバーが同期化を形成する（Ｓ１０３）。
【００１２】
このような同期化は、上記同期化された個人端末機のみで決済され２次元バーコードが複製され違う端末機から使用されることを防止するもので、上記同期化の形成ループ（ｌｏｏｐ）に商品を販売する売り場の売り場端末機が含まれるようにし、同期化された売り場端末機でだけ決済するようにし、メインサーバーに個人端末機の固有番号を貯蔵したあと、同期化認証時これを確認することができる。
上記個人端末機にディスプレイされた２次元バーコードを売り場端末機に連結された２次元スキャナーでスキャンして（Ｓ１０４）、メインサーバーに転送したら、上記メインサーバーは、転送された２次元バーコードを公開キーで解読した（Ｓ１０５）後、上記解読された２次元バーコードの情報を貯蔵した情報と比較して確認する（Ｓ１０６）。
【００１３】
この時、上記２次元バーコード情報の確認とあわせて個人端末機との同期可否を確認してこれを満たした場合に認証（Ｓ１０７）して、上記認証結果を個人端末機及び売り場端末機に転送する（Ｓ１０８）。
上記売り場端末機は転送された認証結果を確認して利用者が購買した商品に対して個人端末機による決済（Ｓ１０９）を遂行して、金融機関の決済方式を事前に知らせる方法を多様に適用することができ、決済金額に対して売り場とか商品販売会社または会員に一定比率のポイントを提供することもできる。
【００１４】
図２はこの発明にしたがって２次元バーコード及びモバイル同期化を利用した決済シス
テムのブロック図で、メインサーバー１のバーコード生成部１６から個人キー及び公開キーを生成してバーコードデーターを個人キーにもとづき暗号化した後、２次元バーコードを生成してバーコードデータベース（バーコードＤＢ）１７に貯蔵して無線通信網を利用して個人端末機２に転送する。
この時、暗号化された２次元バーコードの復号化のために公開キーはメインサーバー１の復号部１４に貯蔵される。
【００１５】
上記２次元バーコードを受信した個人端末機２の利用者は望む商品を購買して、その商品を決済するために個人端末機２に２次元バーコードをディスプレイして、上記個人端末機２とメインサーバー１の同期部１５が無線同期ループＣを形成して、上記無線同期ループＣには売り場端末機４が含まれる。
上記個人端末機２にディスプレイされた２次元バーコードを売り場端末機４に連結された２次元スキャナ３にもとづきスキャナすれば、上記のスキャナされた２次元バーコードは売り場端末機４に転送される。
【００１６】
上記売り場端末機４は転送された２次元バーコードをメインサーバー１の送受信部１３に転送して、上記送受信部１３に転送された２次元バーコードは、制御部１１を経て復号部１４に転送される。
上記の復号部１４は転送された２次元バーコードをバーコードデータベース１７から検索した後、該当の２次元バーコードを、暗号化した個人キーとリンクして貯蔵された公開キーを利用して解読して、上記解読された２次元バーコードの情報を制御部１１を経て認証部１２に転送する。
【００１７】
上記の認証部１２は同期部１５から２次元バーコードをディスプレイした個人端末機２との同期可否を確認して、上記同期可否及び解読した２次元バーコード情報にもとづき認証可否を決定する。
万一、認証が許可されたら、許可された認証結果は制御部１１と送受信部１３を経て売り場端末機４に転送されると同時に無線通信網を利用して個人端末機２に転送される。
上記売り場端末機４は転送された認証結果にしたがって利用者が購買した商品を利用者の個人端末機２を通じ決済して、この時必要に応じてクーポンにもとづく割引またはポイント積み立て等の業務を処理する。
【００１８】
上記制御部１１から制御して送受信する全てのデーターは、別途の貯蔵体を利用して貯蔵することで、データーの処理結果を確認することもできる。
また、上記復号部１４は別途の復号化装置に搭載してメインサーバー１から独立するようにして売り場端末機４と連動することもできる。
上記のこの発明はその事業を直接経営している人の要求にしたがい基本概念を抜けない範囲内で多様な形成が可能である。
【産業上の利用可能性】
【００１９】
単純な商品コードではない会員情報・決済情報・クーポン情報・ポイント積み立て等の大容量の情報が貯蔵できる２次元バーコードと暗号化アルゴリズムを利用して、買い物等の決済に利用できる。
【図面の簡単な説明】
【００２０】
【図１】本発明による２次元バーコード及びモバイル同期化を利用した決済方法のフローシートである。
【図２】本発明による２次元バーコード及びモバイル同期化を利用した決済システムのブロック図である。
【符号の説明】
【００２１】
１    メインサーバー
２    個人端末機
３    ２次元スキャナー
４    売り場端末機
１１  制御部
１２  認証部
１３  送受信部
１４  復号部
１５  同期部
１６  バーコード生成部
１７  バーコードデータベース
Ｃ    無線同期ループ
【図１】
2004280775.tif 000003
【図２】
2004280775.tif 000004